(57)【要約】【課題】貯湯タンク内の熱量不足によりランニングコストが増加することを防止することが可能な貯湯式給湯装置を提供すること。【解決手段】制御装置１００は、「おまかせモード」が設定されたときには、サーミスタ１５からの温度情報と流量カウンタ１６からの流量情報に基づいて学習した１日の給湯に必要な給湯用熱量に加え、浴槽４からの放熱量に基づいて決定された加温用熱量が貯湯タンク１内に貯えられるように、電力コストが安価な深夜時間帯にヒートポンプ装置２を運転する。【選択図】　　　　図１
2004020013.tif 000002
【特許請求の範囲】
【請求項１】
内部に給湯用の高温の湯を貯える貯湯タンク（１）と、
前記貯湯タンク（１）内の水を加熱して前記高温の湯とする加熱手段（２）と、
前記貯湯タンク（１）内に設けられ、前記貯湯タンク（１）の外部から供給される水を内部に流通し、前記貯湯タンク（１）内に貯えられた前記高温の湯によって加温する熱交換器（３１）と、
前記貯湯タンク（１）内の前記高温の湯が、１日の給湯に必要な給湯用熱量（Ｑｏ）を有するように、電力コストに応じて定まる所定時間帯に前記加熱手段（２）を発熱制御する制御手段（１００）とを備える貯湯式給湯装置であって、
前記制御手段（１００）は、前記高温の湯が、前記給湯用熱量（Ｑｏ）に加え、前記熱交換器（３１）を介して１日に前記外部からの供給水を加温するに必要な加温用熱量（Ｑｈｌ）を有するように、前記所定時間帯に前記加熱手段（２）を発熱制御することを特徴とする貯湯式給湯装置。
【請求項２】
前記制御手段（１００）は、所定期間内の給湯実績より、１日の給湯に使用された熱量の最大値（Ｑｏ）を、前記給湯用熱量（Ｑｏ）とすることを特徴とする請求項１に記載の貯湯式給湯装置。
【請求項３】
前記熱交換器（３１）から延びる２本の配管（３２、３３）を浴槽（４）に接続し、前記熱交換器（３１）に、前記浴槽（４）内の浴水を循環させるようにしたことを特徴とする請求項１または請求項２に記載の貯湯式給湯装置。
【請求項４】
前記制御手段（１００）は、前記浴槽（４）内の浴水の設定保温時間に応じて、前記加温用熱量（Ｑｈｌ）を変動させることを特徴とする請求項３に記載の貯湯式給湯装置。
【請求項５】
前記制御手段（１００）は、前記設定保温時間が所定時間より長い場合には、前記所定時間内に浴水を加温する熱量を前記加温用熱量（Ｑｈｌ）とすることを特徴とする請求項４に記載の貯湯式給湯装置。
【請求項６】
前記制御手段（１００）は、前記貯湯タンク（１）内への給水温度もしくは外気温に応じて、前記給湯用熱量（Ｑｏ）および前記加温用熱量（Ｑｈｌ）の少なくとも１つを変動させることを特徴とする請求項３ないし請求項５のいずれか１つに記載の貯湯式給湯装置。
【請求項７】
前記制御手段（１００）は、前記浴槽（４）内の浴水量もしくは湯張り量に応じて、前記給湯用熱量（Ｑｏ）および前記加温用熱量（Ｑｈｌ）の少なくとも１つを変動させることを特徴とする請求項３ないし請求項６のいずれか１つに記載の貯湯式給湯装置。
【発明の詳細な説明】
【０００１】
【発明の属する技術分野】
本発明は、給湯用の高温の湯を貯湯タンク内に貯える貯湯式給湯装置に関する。
【０００２】
【従来の技術】
従来から、内部に給湯用の高温の湯を貯える貯湯タンクと、この貯湯タンク内の水を加熱して高温の湯とするための加熱手段であるヒートポンプ装置とを備え、ランニングコストを抑制するために、電力コストに応じて定まる所定時間帯、例えば時間帯別電灯契約において電気料金が安価な深夜時間帯にヒートポンプ装置が運転され、貯湯タンク内の高温の湯が１日の給湯に必要な給湯用熱量を有するように加熱されるものが知られている。
【０００３】
そして、このような貯湯式給湯装置において、貯湯タンク内に設けた熱交換器内に浴槽内の浴水を循環して貯湯タンク内の高温の湯で加温し、浴槽内の浴水の保温や追い焚きするものが知られている。
【０００４】
【発明が解決しようとする課題】
しかしながら、上記従来技術の貯湯式給湯装置では、給湯により貯湯タンク内の高温の湯が有する熱量が大量に持ち出されると、熱交換器により浴水を加温するための熱量が不足する場合がある。このような場合に浴槽内の浴水の保温や追い焚きをするときには、電気料金が高価な昼間時間帯であってもヒートポンプ装置を運転し貯湯タンク内に熱量を供給する必要があるため、ランニングコストが大幅に増加する場合があるという問題がある。
【０００５】
本発明は、上記点を鑑みてなされたものであって、貯湯タンク内の熱量不足によりランニングコストが増加することを防止することが可能な貯湯式給湯装置を提供することを目的とする。
【０００６】
【課題を解決するための手段】
上記目的を達成するため、請求項１に記載の発明では、
内部に給湯用の高温の湯を貯える貯湯タンク（１）と、
貯湯タンク（１）内の水を加熱して高温の湯とする加熱手段（２）と、
貯湯タンク（１）内に設けられ、貯湯タンク（１）の外部から供給される水を内部に流通し、貯湯タンク（１）内に貯えられた高温の湯によって加温する熱交換器（３１）と、
貯湯タンク（１）内の高温の湯が、１日の給湯に必要な給湯用熱量（Ｑｏ）を有するように、電力コストに応じて定まる所定時間帯に加熱手段（２）を発熱制御する制御手段（１００）とを備える貯湯式給湯装置であって、
制御手段（１００）は、高温の湯が、給湯用熱量（Ｑｏ）に加え、熱交換器（３１）を介して１日に前記外部からの供給水を加温するに必要な加温用熱量（Ｑｈｌ）を有するように、前記所定時間帯に加熱手段（２）を発熱制御することを特徴としている。
【０００７】
これによると、電力コストに応じて定まる所定時間帯に、１日の給湯に必要な給湯用熱量（Ｑｏ）と１日の外部からの供給水加温に必要な加温用熱量（Ｑｈｌ）とを貯湯タンク（１）内に貯えることができる。したがって、貯湯タンク（１）内の熱量不足によりランニングコストが増加することを防止することが可能である。
【０００８】
また、請求項２に記載の発明では、制御手段（１００）は、所定期間内の給湯実績より、１日の給湯に使用された熱量の最大値（Ｑｏ）を、給湯用熱量（Ｑｏ）とすることを特徴としている。
【０００９】
これによると、１日の給湯に必要な給湯用熱量（Ｑｏ）を、ほぼ熱量不足が発生しない範囲で少なくすることができる。したがって、ランニングコストが増加することを一層防止することが可能である。
【００１０】
また、請求項３に記載の発明では、熱交換器（３１）から延びる２本の配管（３２、３３）を浴槽（４）に接続し、熱交換器（３１）に、浴槽（４）内の浴水を循環させるようにしたことを特徴としている。
【００１１】
これによると、浴槽（４）内の湯を保温したり追い焚きしたりすることが可能である。
【００１２】
また、請求項４に記載の発明では、制御手段（１００）は、浴槽（４）内の浴水の設定保温時間に応じて、加温用熱量（Ｑｈｌ）を変動させることを特徴としている。
【００１３】
これによると、１日の浴水の加温に必要な加温用熱量（Ｑｈｌ）を精度よく貯湯タンク（１）内に貯えることができる。したがって、ランニングコストが増加することをより一層防止することが可能である。
【００１４】
また、請求項５に記載の発明では、制御手段（１００）は、設定保温時間が所定時間より長い場合には、前記所定時間内に浴水を加温する熱量を加温用熱量（Ｑｈｌ）とすることを特徴としている。
【００１５】
これによると、設定保温時間より短い所定時間に浴水の保温が中止されることが多い場合には、ランニングコストが増加することをさらに防止することが可能である。
【００１６】
また、請求項６に記載の発明では、制御手段（１００）は、貯湯タンク（１）内への給水温度もしくは外気温に応じて、給湯用熱量（Ｑｏ）および加温用熱量（Ｑｈｌ）の少なくとも１つを変動させることを特徴としている。
【００１７】
これによると、季節等によって変化する給水温度もしくは外気温に応じて、１日の給湯に必要な給湯用熱量（Ｑｏ）および１日の浴水の加温に必要な加温用熱量（Ｑｈｌ）を精度よく貯湯タンク（１）内に貯えることができる。したがって、ランニングコストが増加することを確実に防止することが可能である。
【００１８】
また、請求項７に記載の発明では、制御手段（１００）は、浴槽（４）内の浴水量もしくは湯張り量に応じて、給湯用熱量（Ｑｏ）および加温用熱量（Ｑｈｌ）の少なくとも１つを変動させることを特徴としている。
【００１９】
これによると、浴槽（４）内の浴水量や湯張り量の変化に応じて、浴槽（４）内への給湯を含む１日の給湯に必要な給湯用熱量（Ｑｏ）および１日の浴水の加温に必要な加温用熱量（Ｑｈｌ）を精度よく貯湯タンク（１）内に貯えることができる。したがって、ランニングコストが増加することを確実に防止することが可能である。
【００２０】
なお、上記各手段に付した括弧内の符号は、後述する実施形態記載の具体的手段との対応関係を示す。
【００２１】
【発明の実施の形態】
以下、本発明の実施の形態を図に基づいて説明する。
【００２２】
図１は本実施形態の貯湯式給湯装置の概略構成を示す模式図である。
【００２３】
１は耐食性に優れた金属製（例えばステンレス製）の貯湯タンクであり、外周部に図示しない断熱材が配置されており、給湯用の高温の湯を長時間に渡って保温することができるようになっている。貯湯タンク１は縦長形状であり、その底面には導入口１１が設けられ、この導入口１１には貯湯タンク１内に水道水を導入する給水経路である導入管１２が接続されている。
【００２４】
一方、貯湯タンク１の最上部には導出口１３が設けられ、導出口１３には貯湯タンク１内の高温の湯を導出するための給湯経路である導出管１４が接続されている。導出管１４には、サーミスタ１５と流量カウンタ１６とが設けられており、サーミスタ１５は導出管１４を流れる高温の湯の温度情報を、流量カウンタ１６は導出管１４を流れる高温の湯の流量情報を後述する制御装置１００に出力するようになっている。
【００２５】
導出管１４には、流量カウンタ１６より下流側の図示しない水道水の給水配管との合流点に、図示しない混合弁が配置され、混合弁は開口面積比（導出管１４に連通する湯側の開度と給水配管に連通する水側の開度の比率）を調節することにより、下流側にあるカラン、シャワー、風呂等に高温の湯と水とを適宜混合して給湯するようになっている。
【００２６】
貯湯タンク１の下部には、貯湯タンク１内の水を吸入するための吸入口１８が設けられ、貯湯タンク１の上部には、貯湯タンク１内に湯を吐出する吐出口１９が設けられている。吸入口１８と吐出口１９とは循環回路２０で接続されており、循環回路２０の一部はヒートポンプ装置２内に配置されている。
【００２７】
循環回路２０のヒートポンプ装置２内に配置された部分には、図示しない熱交換器が設けられており、吸入口１８から吸入した貯湯タンク１内の下部の水を高温冷媒との熱交換により加熱し、吐出口１９から貯湯タンク１内に戻すことにより貯湯タンク１内の水を沸き上げることができるようになっている。ヒートポンプ装置２は、本実施形態における加熱手段である。
【００２８】
循環回路２０のヒートポンプ装置２の上流側および下流側にはサーミスタ２１、２２が設けられ、サーミスタ２１は貯湯タンク１内からヒートポンプ装置２へ流入する水の温度情報を、サーミスタ２２はヒートポンプ装置２から貯湯タンク１内へ戻る高温の湯の温度情報を後述する制御装置１００に出力するようになっている。
【００２９】
一方、浴槽４には、浴槽４内の浴水を循環する循環回路３０が接続している。循環回路３０は、貯湯タンク１内の上部に配設された熱交換器３１と、この熱交換器３１の上下両端と、浴槽４とを接続する２本の配管３２、３３とからなっている。熱交換器３１は、本例では、螺旋形状の蛇管により構成されている。循環回路３０の上流側の配管３２には、循環ポンプ３４が配設され、循環ポンプ３４が作動すると、浴槽４内の浴水が熱交換器３１内を上部より下部に向かって流れ、貯湯タンク１内の高温の湯と熱交換して加温されるようになっている。
【００３０】
貯湯タンク１の外壁面には、複数のサーミスタ６が縦方向に間隔をあけて配置され、貯湯タンク１内の各水位レベルにおける温度情報を後述する制御装置１００に出力するようになっている。
【００３１】
また、図１中の１００は制御手段である制御装置であり、制御装置１００は、サーミスタ６、１５、２１、２２からの温度情報、流量カウンタ１６からの流量情報および図示しない操作盤に設けられた操作スイッチからの信号等に基づいて、後述する手順にしたがってヒートポンプ装置２、循環ポンプ３４等を制御するように構成されている。
【００３２】
次に、上記構成に基づき貯湯式給湯装置の作動について説明する。
【００３３】
図２は、制御装置１００の全体概略制御動作を示すフローチャートである。図２に示すように、制御装置１００は、貯湯式給湯装置に電力供給されているときには、図示しない操作盤のスイッチ等からの信号に基づいて、通常運転制御Ｓ１１、満タン運転制御Ｓ１２、学習織り込み運転制御Ｓ１３および強制運転制御Ｓ１４のいずれかを実行する。
【００３４】
まず、通常運転制御について説明する。図示しない操作盤のスイッチ操作により「深夜のみモード」が選択設定され、設定信号が制御装置１００に入力されると、制御装置１００は通常運転制御Ｓ１１を実行する。
【００３５】
制御装置１００は、電力供給者との時間帯別電灯契約における電気料金が安価な時間帯（本例では２３時〜７時の間の所謂深夜時間帯）に、貯湯タンク１内の全容量（本例では３７０Ｌ）が規定温度の高温の湯で満たされるように、ヒートポンプ装置２を運転する。具体的には、６時３０分に貯湯タンク１内の沸き上げが完了するように逆算して、２３時以降の算出時間にヒートポンプ装置２の運転を開始し、貯湯タンク１内の高温の湯が前記規定温度となったときにヒートポンプ装置２の運転を停止する。
【００３６】
図示しないカラン等が開かれ給湯が行なわれるときには、導出口１３から貯湯タンク１内から高温の湯が導出される。これに伴ない、導入口１１から貯湯タンク１の下部へ水道水の導入が行なわれる。また、浴槽４内の浴水の保温や追い焚きが行なわれるときには、循環ポンプ３４が駆動され、循環回路３０を循環する浴水が熱交換器３１で加温される。
【００３７】
上述のような給湯や加温により、貯湯タンク１内の熱量が減少したとしても、本通常運転制御では、制御装置１００は、７時〜２３時の間の時間帯にヒートポンプ装置２の運転は行なわない。
【００３８】
次に、満タン運転制御について説明する。図示しない操作盤のスイッチ操作により「満タンモード」が選択設定され、設定信号が制御装置１００に入力されると、制御装置１００は満タン運転制御Ｓ１２を実行する。
【００３９】
制御装置１００は、カラン等が開かれ給湯が行なわれたりしたときに、サーミスタ６からの温度情報に基づき貯湯タンク１内の高温の湯が所定量（本例では２５０Ｌ）未満になったと判断すると、時間帯に係わらず、貯湯タンク１内の全容量が規定温度の高温の湯で満たされるように、ヒートポンプ装置２を運転する。
【００４０】
次に、強制運転制御について説明する。学習織り込み運転制御については後述する。図示しない操作盤のスイッチ操作により「強制モード」が選択設定され、設定信号が制御装置１００に入力されると、制御装置１００は強制運転制御Ｓ１４を実行する。
【００４１】
制御装置１００は、貯湯タンク１内の全容量が規定温度の高温の湯で満たされていない場合には、即座にヒートポンプ装置２を運転し、貯湯タンク１内の全容量が規定温度の高温の湯で満たれた状態とする。カラン等が開かれ給湯が行なわれたりすることで、サーミスタ６からの温度情報に基づき貯湯タンク１内の高温の湯が減少したと判断した場合には、時間帯に係わらず、貯湯タンク１内の全容量が規定温度の高温の湯で満たされるように、ヒートポンプ装置２を運転する。
【００４２】
制御装置１００は、「強制モード」が設定されると、設定日は本強制運転制御を継続し、次の日には、「強制モード」が設定される前のモードに基づく制御に切り替わるようになっている。
【００４３】
次に、学習織り込み制御について説明する。図示しない操作盤のスイッチ操作により、「おまかせモード」が選択設定され、設定信号が制御装置１００に入力されると、制御装置１００は学習織り込み運転制御Ｓ１３を実行する。図３は、図２に示す学習織り込み運転制御Ｓ１３の概略の流れを示すフローチャートである。
【００４４】
図３に示すように、制御装置１００は、まず、２３時になったかどうか判断する（ステップＳ１０１）。２３時になったら、過去所定期間内（本例では直前の７日間内）における１日の給湯により使用された最大給湯用熱量Ｑｏを算出する（ステップＳ１０２）。最大給湯用熱量Ｑｏはサーミスタ１５および流量カウンタ１６からの情報に基づき算出する。
【００４５】
最大給湯用熱量Ｑｏを算出したら、次に、熱交換器３１を介して１日に浴水を加温するための加温用熱量Ｑｈｌを最大給湯用熱量Ｑｏに加える（ステップＳ１０３）。加温用熱量Ｑｈｌは一定値であり、本例では寒冷地を考慮して、浴室内温度が−１０℃のときに４０℃の浴水が２００Ｌ張られた浴槽からの放熱量の実測値から加熱用熱量Ｑｈｌを決定している。
【００４６】
ステップＳ１０３を実行したら、次に、最大給湯用熱量Ｑｏと加熱用熱量Ｑｈｌとの合計熱量が貯湯タンク１内の高温の湯が保持する熱量（貯湯熱量）となったときの貯湯温度Ｔｐを算出する（ステップＳ１０４）。さらに、制御装置１００は、サーミスタ６からの温度情報に基づいて、貯湯タンク１内の現在の貯湯熱量Ｑｔを算出する（ステップＳ１０５）。
【００４７】
そして次に、ステップＳ１０３で算出した最大給湯用熱量Ｑｏと加熱用熱量Ｑｈｌとの合計熱量と、ステップＳ１０５で算出した現在の貯湯熱量Ｑｔとの差分を、ヒートポンプ装置２の運転により６時３０分までに得るための運転開始時刻（沸き上げ開始時刻）ｔｓを算出する（ステップＳ１０６）。ここで６時３０分を運転終了時刻（沸き上げ終了時刻）として沸き上げ開始時刻ｔｓを算出したのは、貯湯熱量の増加がばらついた場合であっても、７時までに沸き上げを完了するためである。
【００４８】
ステップＳ１０６を実行したら、沸き上げ開始時刻ｔｓになったかどうか判断し（ステップＳ１０７）、沸き上げ開始時刻ｔｓになったらヒートポンプ装置２の運転を開始する（ステップＳ１０８）。そして、サーミスタ２１（もしくはサーミスタ２１、２２）からの温度情報により、貯湯タンク１内の貯湯温度が目標の貯湯温度Ｔｐとなったと判断したら（ステップＳ１０９）、ヒートポンプ装置２を停止し（ステップＳ１１０）、ステップＳ１０１にリターンする。
【００４９】
上述の各運転制御Ｓ１１〜Ｓ１４を実行しているときに、カラン等が開かれると、導入管１２から貯湯タンク１内に水道水が供給されるとともに、導出管１４を介して貯湯タンク１内から高温の湯が導出され、図示しない混合弁において適宜水道水と混合された後、給湯が行なわれる。
【００５０】
また、浴槽４内の浴水を保温もしくは追い焚きする場合には、制御装置１００は、図示しない操作盤において設定された保温時間や保温温度等の信号に基づいて、循環ポンプ３４を作動させ、循環回路３０内に浴水を循環する。浴槽４から配管３２を流れた浴水は、熱交換器３１内を流通し、貯湯タンク１内の高温の湯と熱交換して加温された後、配管３３を流れて浴槽４内に戻る。
【００５１】
上述の構成および作動によれば、「おまかせモード」が設定されたときには、電力コストが安価な所謂深夜時間帯に、１日の給湯に必要な最大給湯用熱量Ｑｏと１日の浴水加温に必要な加温用熱量Ｑｈｌとを貯湯タンク１内に貯えることができる。したがって、貯湯タンク１内の熱量不足から、電力コストが高価な所謂昼間時間帯にヒートポンプ装置２を運転することによりランニングコストが増加することを防止することが可能である。
【００５２】
また、最大給湯用熱量Ｑｏは、過去の給湯実績から学習した熱量であるので、貯湯タンク１内に貯えられる熱量はそれほど過剰なものとはならない。したがって、ランニングコストが増加することを一層防止することが可能である。
【００５３】
（他の実施形態）
上記一実施形態では、加温用熱量Ｑｈｌは一定値であったが、制御装置１００は、浴槽４内の浴水の設定保温時間に応じて、加温用熱量Ｑｈｌを変動させるものであってもよい。これによると、１日の浴水の加温に必要な加温用熱量Ｑｈｌを日毎に精度よく貯湯タンク１内に貯えることができる。
【００５４】
また、設定保温時間が所定時間より長い場合には、この所定時間内に浴水を加温する熱量を加温用熱量Ｑｈｌとしてもよい。例えば、設定保温時間が２時間以上である場合であっても、浴水保温は２時間程度でキャンセルされることが多い。このようなときには、浴水を２時間加温するための熱量を加温用熱量Ｑｈｌとしてもよい。これによると、ランニングコストが増加することをさらに防止することが可能である。
【００５５】
また、導入管１２に設けた図示しないサーミスタや、ヒートポンプ装置２に設けられた図示していない外気温センサからの情報に基づいて、制御装置１００は、貯湯タンク１内への給水温度もしくは外気温に応じて、最大給湯用熱量Ｑｏおよび加温用熱量Ｑｈｌの少なくとも１つを変動させるものであってもよい。
【００５６】
これによると、季節等によって変化する給水温度もしくは外気温に応じて、１日の給湯に必要な給湯用熱量Ｑｏおよび１日の浴水の加温に必要な加温用熱量Ｑｈｌを精度よく貯湯タンク１内に貯えることができる。また、給水温度や外気温ではなく、内蔵したカレンダ情報に基づいて、所定期間毎に最大給湯用熱量Ｑｏおよび加温用熱量Ｑｈｌの少なくとも１つを変動させ、季節変化に対応させるものであってもよい。
【００５７】
また、制御装置１００は、浴槽４内の浴水量に応じて、給湯用熱量Ｑｏおよび加温用熱量Ｑｈｌの少なくとも１つを変動させるものであってもよい。これによると、浴槽４内の浴水量の変化に応じて、浴槽４内への給湯を含む１日の給湯に必要な給湯用熱量Ｑｏおよび１日の浴水の加温に必要な加温用熱量Ｑｈｌを精度よく貯湯タンク１内に貯えることができる。また、図示しない操作盤において設定された浴槽４内への湯張り量に応じて変動制御してもよい。
【００５８】
また、上記一実施形態では、浴槽４内の４０℃の浴水２００Ｌからの放熱量に基づいて、加温熱量Ｑｈｌを決定していたが、加温熱量Ｑｈｌは浴水量に応じて変動させるものであってもよい。
【００５９】
また、上記一実施形態では、加温用熱量Ｑｈｌは一定値であったが、循環回路３０の熱交換器３１上下流側にサーミスタを設け、これらのサーミスタから得られる浴水加温実績から学習した値を加温用熱量Ｑｈｌとするものであってもよい。これによれば、加温用熱量Ｑｈｌを必要以上に貯えることを防止することが可能である。
【００６０】
また、上記一実施形態では、熱交換器３１は、螺旋形状の蛇管であったが、他の構成の熱交換器であってもかまわない。
【００６１】
また、上記一実施形態では、貯湯タンク１の外部に設けられた加熱手段は、ヒートポンプ装置２であったが、例えば電熱装置等の他の加熱手段であってもよい。
【００６２】
また、上記一実施形態では、貯湯タンク１は１つであったが、複数の貯湯タンクを直列もしくは並列に接続したものであってもかまわない。
【００６３】
また、上記一実施形態では、熱交換器３１内に貯湯タンク１の外部から供給される水は、浴槽４内の浴水であったが、これ以外の流体を熱交換器３１内に流通し、貯湯タンク１内に貯留した高温の湯により加温するものであってもよい。例えば、床暖房用の熱媒体であってもよいし、浴室暖房用あるいは浴室乾燥用の熱媒体であってもよい。
【図面の簡単な説明】
【図１】本発明の一実施形態における貯湯式給湯装置の概略構成を示す模式図である。
【図２】制御装置１００の全体概略制御動作を示すフローチャートである。
【図３】図２に示す学習織り込み運転制御Ｓ１３の概略の流れを示すフローチャートである。
【符号の説明】
１　貯湯タンク
２　ヒートポンプ装置（加熱手段）
４　浴槽
６　サーミスタ
３０　循環回路
３１　熱交換器
３２、３３　配管
１００　制御装置（制御手段）
Ｑｏ　最大給湯用熱量（給湯用熱量）
Ｑｈｌ　加温用熱量
【図１】
2004020013.tif 000003
【図２】
2004020013.tif 000004
【図３】
2004020013.tif 000005